(57)【要約】【課題】  デジタルカメラのような動画撮影装置は、記憶容量が限られた着脱可能なメモリーカード等で撮影を行うと記憶可能容量が直ぐに無くなり、撮影を長く行えなかった。【解決手段】  撮影者が画像の解像度を変更した際に、画像処理エンジン１によってメモリカード１２の残り記憶容量または電池の残り電池容量から動画像および音声をメモリカード１２に記録可能な残り撮影時間を検出する。メモリカード１２に記録可能な残り撮影時間が所定値以下であることが検出されると、画像処理エンジン１により、解像度の種類（高解像度、中解像度、低解像度）に応じて、録音する音声データのサンプリングレートおよび量子化ビット数を変更する。これにより、記録可能な残り撮影時間が少ない場合、動画像の記録解像度に応じてメモリカード１２に記録される音声のデータサイズを小さくすることができ、撮影をより長い時間続けることができる。【選択図】  図１
2010103668.tif 000002
【特許請求の範囲】
【請求項１】
撮像手段によって撮像した動画像を集音手段によって集音した音声と共に記録する記憶手段と、この記憶手段に記録する前記動画像の解像度を複数種類の中から任意の解像度に設定する解像度設定手段とを備えた動画撮影装置において、
前記動画像および音声を前記記憶手段に記録可能な残り撮影時間を検出する検出手段と、
この検出手段によって検出された残り撮影時間が所定値以下であると、前記解像度設定手段によって設定された解像度の種類に応じて、前記集音手段によって集音されて前記記憶手段に記録される音声のサンプリングレートおよび量子化ビット数の各録音設定値を変更する録音設定値変更手段とを備えていることを特徴とする動画撮影装置。
【請求項２】
請求項１に記載の動画撮影装置において、
前記検出手段は、前記記憶手段の残り記憶容量または駆動電力を供給する電池の残り電池容量を検出して、残り撮影時間を検出することを特徴とする動画撮影装置。
【請求項３】
請求項１または請求項２に記載の動画撮影装置において、
前記記憶手段は、動画撮影装置に着脱可能であることを特徴とする動画撮影装置。
【請求項４】
請求項１から請求項３のいずれか１項に記載の動画撮影装置において、
前記各録音設定値を任意の値に設定する録音設定値設定手段を備えていることを特徴とする動画撮影装置。
【発明の詳細な説明】
【技術分野】
【０００１】
本発明は、撮像手段によって撮像した動画像を集音手段によって集音した音声と共に記録する動画撮影装置に関するものである。
【背景技術】
【０００２】
従来、この種の動画撮影装置としては、例えば、特許文献１に開示されたデジタルカメラがある。このデジタルカメラでは、ベストショット機能を用いた録画に際して使用される録画用のシーンファイルがプログラムメモリに記憶されている。録画用のシーンファイルは、予め想定される録画用のベストショットシーンとして、コンサート録画，会議録画，および風景録画の３つが用意されている。これらの録画用のシーンファイルは、それぞれ、録音設定情報，各種画像設定情報，およびシーンＩＤから構成されている。録音設定情報は、コンサート録画では、なるべく高音質となるよう、ビットレート目標値が高め，サンプリング周波数が４４．１ｋＨｚ，追従時間設定が長め，かつ最大増幅度設定が低く設定されている。また、会議録画では、なるべく遠くの人の声なども録音できた方が好ましいため、追従時間設定が短く、最大増幅度設定が高く設定されている。また、風景録画では、屋外での録音であるので、フィルター設定値がＯＮに設定されている。
【特許文献１】特開２００６−２１７１１１号公報（段落［００３０］〜段落［００３４］および図２参照）
【発明の開示】
【発明が解決しようとする課題】
【０００３】
特許文献１に開示された上記従来のデジタルカメラは、録画用のベストショットシーンに対応した録音設定をすることで、撮影環境に適した音声録音が可能である。しかしながら、録画したデータを記録するメモリーカード等の記憶媒体は記憶容量が限られている。このため、メモリーカード等の記憶容量を節約するため、例えば、コンサート録画で撮影される動画像の記録解像度を低下させても、音声は高音質で録音されることになるため、メモリーカード等の記憶可能容量が直ぐに無くなって、撮影を続けることができなかった。
【課題を解決するための手段】
【０００４】
本発明はこのような課題を解決するためになされたもので、
撮像手段によって撮像した動画像を集音手段によって集音した音声と共に記録する記憶手段と、この記憶手段に記録する動画像の解像度を複数種類の中から任意の解像度に設定する解像度設定手段とを備えた動画撮影装置において、
動画像および音声を記憶手段に記録可能な残り撮影時間を検出する検出手段と、
この検出手段によって検出された残り撮影時間が所定値以下であると、解像度設定手段によって設定された解像度の種類に応じて、集音手段によって集音されて記憶手段に記録される音声のサンプリングレートおよび量子化ビット数の各録音設定値を変更する録音設定値変更手段とを備えていることを特徴とする。
【０００５】
この構成によれば、検出手段によって記憶手段に記録可能な残り撮影時間が所定値以下であることが検出されると、録音設定値変更手段により、録音する音声のサンプリングレートおよび量子化ビット数の各録音設定値が解像度の種類に応じて変更される。このため、記録可能な残り撮影時間が少ない場合、動画像の記録解像度に応じて記憶手段に記録される音声のデータサイズを小さくすることができる。この結果、記憶手段に記録可能な残り撮影時間は、音声のデータサイズを小さくした分延ばすことができ、撮影をより長い時間続けることができる。
【０００６】
また、本発明は、検出手段が、記憶手段の残り記憶容量または駆動電力を供給する電池の残り電池容量を検出して、残り撮影時間を検出することを特徴とする。
【０００７】
この構成によれば、記憶手段に記録可能な残り撮影時間は、記憶手段の残り記録容量または電池の残り電池容量によって検出される。
【０００８】
また、本発明は、記憶手段が、動画撮影装置に着脱可能であることを特徴とする。
【０００９】
この構成によれば、記憶容量が限られた着脱可能な記憶手段でも、録音設定値変更手段によって記録解像度に応じて音声の録音設定値が変更されることにより、記憶可能容量が直ぐに無くなってしまうという心配を持たずに、撮影をより長い時間行うことができる。
【００１０】
また、本発明は、各録音設定値を任意の値に設定する録音設定値設定手段を備えていることを特徴とする。
【００１１】
この構成によれば、録音設定値設定手段によって各録音設定値、すなわち、記録する音声のサンプリングレートおよび量子化ビット数を任意に設定することができる。このため、例えば、動画像の記録解像度を低くしても、高音質での音声の記録が可能となる。
【発明の効果】
【００１２】
本発明によれば、上記のように、動画像の解像度に応じて記憶手段に記録される音声のデータサイズを小さくすることができるので、記憶手段に記録可能な残り撮影時間は、音声のデータサイズを小さくした分延ばすことができ、撮影をより長い時間続けることができる。
【発明を実施するための最良の形態】
【００１３】
次に、本発明による動画撮影装置をデジタルカメラに適用した場合における、本発明を実施するための最良の形態について説明する。
【００１４】
図１は、この最良の実施の形態によるデジタルカメラの概略の構成を示すブロック図である。
【００１５】
デジタルカメラは、画像処理エンジン１を備えている。この画像処理エンジン１は、ＣＰＵ（Central Processing Unit）を有しており、不揮発性メモリ２に格納されている制御プログラムに従い、バッファメモリ３を一時記憶作業領域として、デジタルカメラ内部の各回路について種々の制御処理を行う。
【００１６】
撮影レンズ４によってカメラ内部に導かれた被写体光は、撮像素子５の受光面に入射する。撮像素子５は、ＣＣＤ（Charge Coupled Device）やＣＭＯＳ（Complementary Metal Oxide Semiconductor）などからなり、受光面に入射する被写体光を蓄積して、被写体像を撮像する。すなわち、撮像素子５は被写体を撮像する撮像手段を構成している。操作部６の１つであるレリーズボタンが半押しされると、画像処理エンジン１は、オートフォーカス機能を作動させ、図示しないＡＦ（Auto Focus）センサーで検出された被写体光に基づき、撮影レンズ４の位置を移動させて、撮像素子５の受光面上に投影される被写体像の焦点を自動調節する。
【００１７】
撮像素子５の受光面に結像した被写体像はアナログの撮像信号に変換され、この撮像信号は、ＴＧ（Timing Generator）７によって生成されるタイミングに従ってＡＦＥ（Analog Front End）８に入力される。ＡＦＥ８は、撮像素子５が出力したアナログの撮像信号の雑音を除去し、その信号を増幅してデジタルの撮像信号に変換する。ＡＦＥ８によって変換されたデジタルの撮像信号は、ＴＧ７によって生成されるタイミングに従って画像処理エンジン１に入力される。画像処理エンジン１は、入力した撮像信号に対してホワイトバランス処理やガンマ補正などの画像処理を行って現像画像データを生成する。そして、現像画像データを所定の比率で圧縮する圧縮処理を行い、ＪＰＥＧ（Joint Photographic Experts Group）やＴＩＦＦ（Tagged Image File Format）等の圧縮画像データを生成する。また、現像画像が動画像の場合には、ＪＰＥＧに準じた画像の圧縮，フレーム間予測，動き補償等のアルゴリズムを組合せた圧縮処理を行い、ＭＰＥＧ（Motion Picture Experts Group）等の圧縮画像データを生成する。
【００１８】
圧縮処理された画像データは、バッファメモリ３に一時的に格納される。そして、モニタ駆動部９に出力されて、デジタルカメラの背面に備えられたＴＦＴ（Thin Film Transistor）液晶からなるモニタ１０に表示されると共に、記録Ｉ/Ｆ１１を介してメモリカード１２に記録される。記録Ｉ/Ｆ１１は、メモリカード１２にデータを書き込む際の書き込み制御、およびメモリカード１２に記録されたデータを読み出す際の読み出し制御を行う。メモリカード１２は、カメラ本体に設けられたカードスロットに着脱可能な不揮発性メモリからなるカード状の記憶媒体である。
【００１９】
また、マイク１３は、音声を集音する集音手段を構成しており、動画撮影時に被写体の周囲の音声を集音する。集音された音声はアナログの音声信号として音声処理部１４へ出力され、音声処理部１２において、所定のサンプリングレートおよび所定の量子化ビット数でデジタル信号に変換される。この音声信号は、音声データとして画像処理エンジン１によってバッファメモリ３に一時的に格納され、その後、記録Ｉ/Ｆ１１を介してメモリカード１２に記録される。メモリカード１２に記録された音声データは記録Ｉ/Ｆ１１を介して読み出され、音声処理部１４の制御によってスピーカ１５から出力される。メモリカード１２は、撮像素子５によって撮像した動画像をマイク１３によって集音した音声と共に記録する記憶手段を構成している。また、メモリカード１２に記録されたデータはＵＳＢ（Universal Serial Bus）等の外部Ｉ/Ｆ１６を介してパーソナルコンピュータ等に出力され、パーソナルコンピュータ等のハードディスクに保存することができる。
【００２０】
メモリカード１２に保存される画像の解像度は、デジタルカメラの使用者が、モニタ１０に解像度設定メニューを表示させ、モニタ１０に表示される複数種類の解像度の中から、操作部６を構成する図示しないマルチセレクタなどを操作することにより、何れか１つを設定することができる。本実施形態では、１０２４ × ７６８［pixel］の高解像度，６４０ × ４８０［pixel］の中解像度，３２０ × ２４０［pixel］の低解像度の中から何れか１つを設定することができる。画像処理エンジン１は、解像度設定メニューで使用者によって選択された解像度で、静止画および動画をメモリカード１２に記録する。画像処理エンジン１および操作部６は、メモリカード１２に記録する動画像の解像度を複数種類の中から任意の解像度に設定する解像度設定手段を構成している。
【００２１】
また、画像処理エンジン１は、撮像素子５によって撮像した動画像およびマイク１３によって集音した音声をメモリカード１２に記録可能な残り撮影時間を検出する検出手段を構成している。本実施形態では、画像処理エンジン１は、メモリカード１２の残り記憶容量、または回路各部に駆動電力を供給する図示しない電池の残り電池容量を検出して、残り撮影時間を検出する。また、画像処理エンジン１は、録音設定値変更手段を構成しており、検出手段によって検出された残り撮影時間が所定値以下であると、解像度設定手段によって設定された解像度の種類に応じて、マイク１３によって集音されてメモリカード１２に記録される音声のサンプリングレートおよび量子化ビット数の各録音設定値を変更する。音声処理部１４は、変更された各録音設定値のサンプリングレートおよび量子化ビット数で、マイク１３によって集音される音声をサンプリングおよび量子化する。
【００２２】
図２は、デジタルカメラの撮影画像の解像度と、この解像度の種類に対応付けられた各録音設定値との組合せを示した表である。この組合せ表は、不揮発性メモリ２に格納されている。
【００２３】
撮影画像の解像度が３２０ × ２４０［pixel］の低解像度においては、音声のサンプリングレートは１１．０２５［kHz］、音声の量子化ビット数は８［bit］に対応付けられている。また、撮影画像の解像度が６４０ × ４８０［pixel］の中解像度においては、音声のサンプリングレートは低解像度の倍の２２．０５［kHz］、音声の量子化ビット数は１２［bit］に対応付けられている。また、撮影画像の解像度が１０２４ × ７６８［pixel］の高解像度においては、音声のサンプリングレートは中解像度の倍の４４．１［kHz］、音声の量子化ビット数は１６［bit］に対応付けられている。すなわち、本実施形態では、設定される撮影画像の解像度が低くなるにつれて、音声のサンプリングレートおよび音声の量子化ビット数が低くなるように設定されている。
【００２４】
次に、上述した構成を備えた本実施形態によるデジタルカメラの動作について説明する。
【００２５】
まず、撮影者によって電源スイッチが操作されてデジタルカメラに電源が入れられると、デジタルカメラ内部の各回路に電源が供給されて、撮影が可能な状態になる。
【００２６】
次に、撮影者は、撮影を始める前に、撮影した画像データをメモリカード１２に記録させる際の解像度を設定する。この画像の解像度を設定する際には、マルチセレクタを操作してモニタ１０に解像度設定メニュー画面を表示させる。解像度設定メニュー画面には、上記の、１０２４ × ７６８［pixel］の高解像度，６４０ × ４８０［pixel］の中解像度，３２０ × ２４０［pixel］の低解像度の３種類の解像度の項目が表示される。撮影者は、マルチセレクタの上側または下側を押下することにより希望する解像度の項目を指定し、指定終了後にＯＫボタンを押して解像度を設定する。
【００２７】
画像処理エンジン１は、解像度が設定されると、メモリカード１２の残り記憶容量、または回路各部に駆動電力を供給する電池の残り電池容量を検出して、残り撮影時間を検出する。残り撮影時間が所定値（例えば３０分）以下であることを検出すると、画像処理エンジン１は、不揮発生メモリ２にアクセスし、解像度の種類に対応付けられた各録音設定値の組合せを表（図２参照）を参照して、設定された解像度に対応付けられた各録音設定値で音声サンプリングおよび量子化するように音声処理部１４を制御する。
【００２８】
例えば、撮影者が１０２４ × ７６８［pixel］の高解像度を設定すると、高解像度に対応した音声のサンプリングレート４４．１［kHz］および音声の量子化ビット数１６［bit］の各録音設定値が設定される。高解像度では、マイク１３が集音した音声データを音楽ＣＤ（Compact Disc）と同じサンプリング周波数でサンプリングするため、マイク１３が集音した音声データの再現性が高くなる。さらに、サンプリングしたデータを１６［bit］で量子化するため、ダイナミックレンジが広くとれ、音の強弱をあらわすことができる。このため、マイク１３が集音した音声データは高音質で記録されるが、データサイズは余り小さくならない。
【００２９】
また、撮影者が６４０ × ４８０［pixel］の中解像度を設定すると、中解像度に対応した音声のサンプリングレート２２．０５［kHz］および音声の量子化ビット数１２［bit］の各録音設定値が設定される。中解像度では、マイク１３が集音した音声データを音楽ＣＤ（Compact Disc）の半分のサンプリング周波数でサンプリングし、そのサンプリングしたデータを１２［bit］で量子化するため、高解像度の場合と比べて音声データのサイズを小さくできる。しかしながら、音声データのサイズを小さくした分だけマイク１３が集音した音声データのサンプリングが粗くなり、ダイナミックレンジの幅も狭くなる。このため、音の再現性や強弱が低下し、高解像度の場合と比べて音質が劣る。
【００３０】
また、撮影者が３２０ × ２４０［pixel］の低解像度を設定すると、低解像度に対応した音声のサンプリングレート１１．０２５［kHz］および音声の量子化ビット数８［bit］の各録音設定値が設定される。低解像度では、マイク１３が集音した音声データを音楽ＣＤ（Compact Disc）の１／４のサンプリング周波数でサンプリングし、そのサンプリングしたデータを８［bit］で量子化するため、中解像度の場合よりもさらに音声データのサイズを小さくできる。しかしながら、マイク１３が集音した音声データのサンプリングがより粗くなるため、高音や低音が出力できなくなり、こもった音になる。また、ダイナミックレンジの幅もより狭くなるため、音の強弱がなくなり、メリハリのない音になる。
【００３１】
このような本実施形態によるデジタルカメラによれば、上述したように、検出手段によってメモリカード１２の残り記憶容量、または駆動電力を供給する電池の残り電池容量を検出し、メモリカード１２に記録可能な残り撮影時間が所定値以下であることが検出されると、録音設定値変更手段により、録音する音声のサンプリングレートおよび量子化ビット数の各録音設定値が解像度の種類、つまり、高解像度、中解像度、低解像度に応じて変更される。このため、記録可能な残り撮影時間が少ない場合、動画像の記録解像度に応じてメモリカード１２に記録される音声のデータサイズを小さくすることができる。この結果、メモリカード１２に記録可能な残り撮影時間は、音声のデータサイズを小さくした分延ばすことができ、撮影をより長い時間続けることができる。
【００３２】
また、本実施形態によれば、記憶容量が限られた着脱可能なメモリカード１２でも、録音設定値変更手段によって記録解像度に応じて音声の録音設定値が変更されることにより、記憶可能容量が直ぐに無くなってしまうという心配を持たずに、撮影をより長い時間行うことができる。
【００３３】
なお、上記実施形態では、不揮発性メモリ２に格納されている組合せ表における各録音設定値は、予め設定されている構成としたが、本発明はこれに限られることはない。例えば、デジタルカメラの使用者が、マルチセレクタを操作してモニタ１０に録音設定メニュー画面を表示させ、組合せ表における各録音設定値を任意に設定する構成としてもよい。この場合、録音設定メニュー画面にはサンプリングレート値と量子化ビット数値とが表示され、使用者がマルチセレクタの左側または右側を押下することにより、設定するサンプリングレート値または量子化ビット数値の桁を選択する。続いて、マルチセレクターの上側または下側を押下することにより、任意の録音設定値に設定する。ここで、マルチセレクタおよびモニタ１０は、各録音設定値を任意の値に設定する録音設定値設定手段を構成する。
【００３４】
この構成によれば、メモリカード１２に記録する音声データの各録音設定値、すなわち音声のサンプリングレートおよび量子化ビット数を任意に設定することができる。このため、例えば、動画像の記録解像度を低くしても、高音質での音声の記録が可能となる。
【００３５】
また、上記の実施形態では、画像処理エンジン１で音声のサンプリングレートおよび音声の量子化ビット数を変更する構成としたが、例えば、音声の圧縮および伸張を行うハードウェアであるAUDIO CODEC ICを用いて、音声のサンプリングレートおよび音声の量子化ビット数を変更する構成としてもよい。
【産業上の利用可能性】
【００３６】
上記実施形態においては、本発明による動画撮影装置をデジタルカメラに適用した場合について説明したが、撮像手段によって撮像した動画像を集音手段によって集音した音声と共に記録するデジタルビデオカメラや、カメラ付き携帯電話機などの種々の動画撮影装置に、本発明を適用することが可能である。このような動画撮影装置に本発明を適用した場合においても、上記実施形態と同様の作用効果が奏される。
【図面の簡単な説明】
【００３７】
【図１】本発明の最良の実施形態によるデジタルカメラの概略の構成を示すブロック図である。
【図２】図１に示すデジタルカメラの撮影画像の解像度と、この解像度の種類に対応付けられた各録音設定値との組合せを示した表である。
【符号の説明】
【００３８】
１…画像処理エンジン
２…不揮発性メモリ
５…撮像素子
１１…記録I/F
１２…メモリカード
１３…マイク
１４…音声処理部
【図１】
2010103668.tif 000003
【図２】
2010103668.tif 000004